(57)【要約】【課題】キャリアの軟質シート内に乳幼児を入れたままでカバー毛布の容易な着脱を可能にして安全性を保証することができるベビーキャリアの提供。【解決手段】このキャリアは、本体毛布と、装着帯と、軟質シートと、カバー毛布とからなる。本体毛布は、大人の体と乳幼児との間で広がる外被である。装着帯は、ウェストベルトとショルダストラップとからなり、大人に向いた本体毛布の面に取り付けられる。軟質シートは、乳幼児に向いた本体毛布の面に取り付けられる。カバー毛布は、本体毛布に取り付けられると、ベビーキャリアの軟質シートだけでなく、ベビーキャリア内で通常は露出されている両腕及び両脚を含む乳幼児全体を取り囲む。このような外囲体を形成するために、カバー毛布は、底縁部に沿って、及び両側部に沿って延びる２つの縁部に沿って本体毛布に連結される。カバー毛布は、ジッパー等の取付け具を用いて本体毛布に取り付け可能である。【選択図】図１
2007503879.tif 000002
【特許請求の範囲】
【請求項１】
人に連結するための装着帯と、
乳幼児を保持するための軟質シートと、
乳幼児と人との間に装着される第１の外被と、
人から離れる方向に向いた面上の前記軟質シートの周りで前記第１の外被と連結する第２の外被と、
を含み、
前記第１及び第２の外被が、前記軟質シートと共に乳幼児を囲む外囲体を形成することを特徴とするベビーキャリア。
【請求項２】
前記装着帯が、前記ベビーキャリアを人の胸部に取り付けるように構成され適合されていることを特徴とする請求項１に記載のベビーキャリア。
【請求項３】
着用者に向いた前記第１の外被の面上で前記装着帯を取り外し可能に受け入れる取付け機構を更に含むことを特徴とする請求項１に記載のベビーキャリア。
【請求項４】
乳幼児に向いた前記第１の外被の面上で前記軟質シートを取り外し可能に受け入れる取付け機構を更に含むことを特徴とする請求項１に記載のベビーキャリア。
【請求項５】
乳幼児に向いた前記第１の外被の面上に恒久的に取り付けられた軟質シートを更に含むことを特徴とする請求項１に記載のベビーキャリア。
【請求項６】
前記外囲体が、乳幼児の肩からその両足の下方まで各側部に沿った２つの縁部と、該２つの側部につながる乳幼児の両足の下に延びる底縁部とを有し、前記第１及び第２の外被が、これらの縁部で接触することを特徴とする請求項１に記載のベビーキャリア。
【請求項７】
前記第１及び第２の外被が、前記両側部及び前記底縁部に沿って取り付けられることを特徴とする請求項６に記載のベビーキャリア。
【請求項８】
前記第１及び第２の外被が、ジッパーを使用して取り付けられることを特徴とする請求項７に記載のベビーキャリア。
【請求項９】
前記第１及び第２の外被がボタンを使用して取り付けられることを特徴とする請求項７に記載のベビーキャリア。
【請求項１０】
前記第１及び第２の外被が、マジックテープを使用して取り付けられることを特徴とする請求項７に記載のベビーキャリア。
【請求項１１】
前記第１及び第２の外被が、温度調節を可能にするように僅かに開くことができることを特徴とする請求項７に記載のベビーキャリア。
【請求項１２】
前記第１の外被上の取付け機構を該第１の外被の縁部に沿って引き上げることができることを特徴とする請求項７に記載のベビーキャリア。
【請求項１３】
前記第１の外被が、人の衣類を保護するために乳幼児の顔の上方で延びる頂縁部を有することを特徴とする請求項１に記載のベビーキャリア。
【請求項１４】
前記第１の外被が、親の衣類上の鋭利な物又は表面が粗い物から乳幼児を保護するために、乳幼児の顔の上方で延びる頂縁部を有することを特徴とする請求項１に記載のベビーキャリア。
【請求項１５】
前記第２の外被の頂縁部が、前記軟質シートの頂縁部に取り付けられることを特徴とする請求項１に記載のベビーキャリア。
【請求項１６】
乳幼児の頭部を被い、且つ前記第１の外被に取り付けられるフードを更に含み、前記フードが人から離れる方向に向いていることを特徴とする請求項１に記載のベビーキャリア。
【請求項１７】
乳幼児の頭部を被い、且つ前記第１の外被に取り付けられるフードを更に含み、前記フードが人の方向に向いていることを特徴とする請求項１に記載のベビーキャリア。
【請求項１８】
前記フードが、前記ベビーキャリアから取り外し可能であることを特徴とする請求項１６又は１７に記載のベビーキャリア。
【請求項１９】
前記フードが、乳幼児の顔に落ちてその呼吸を妨げるのを防止する形状を保持するように補強されることを特徴とする請求項１６又は１７に記載のベビーキャリア。
【請求項２０】
前記第１及び第２の外被が、前記底縁部に沿って恒久的に取り付けられることを特徴とする請求項６に記載のベビーキャリア。
【請求項２１】
前記第２の外被を引き上げることができることを特徴とする請求項２０に記載のベビーキャリア。
【請求項２２】
前記同じ取付け機構が、前記軟質シートを前記第１の外被の一方の面に連結するため、及び前記装着帯を前記第１の外被の他方の面に連結するために使用されることを特徴とする請求項１に記載のベビーキャリア。
【請求項２３】
前記第１の外被が、前記装着帯の１つのファスナを前記軟質シートのボタンに直接連結することを可能にする１つの開口を有することを特徴とする請求項１に記載のベビーキャリア。
【請求項２４】
前記第１の外被が、前記装着帯の全てのファスナを軟質シートの全てのファスナに直接連結することを可能にする複数の開口を有することを特徴とする請求項１に記載のベビーキャリア。
【請求項２５】
前記第２の外被が、人の胸部と前記装着帯との間を横断方向に通過して、前記第２の外被の２つの上方コーナーを連結するストラップを有することを特徴とする請求項１に記載のベビーキャリア。
【請求項２６】
前記開口が、前記装着帯の周りを密接に閉じる弾性縁部を有することを特徴とする請求項２５に記載のベビーキャリア。
【請求項２７】
前記開口が、前記装着帯の周りで開閉することができる機構を有することを特徴とする請求項２５に記載のベビーキャリア。
【請求項２８】
前記機構がストッパ付きの引き紐であることを特徴とする請求項２７に記載のベビーキャリア。
【請求項２９】
前記外囲体が、ベビーカー又は自動車シートに対する外囲体の取付けを可能にするために、前記底縁部の中央から出て前記軟質シートの直ぐ下まで延びるスロットを有することを特徴とする請求項１に記載のベビーキャリア。
【請求項３０】
前記第１及び第２の外被が、シートベルトの貫通を可能にする複数の開口を有することを特徴とする請求項１に記載のベビーキャリア。
【請求項３１】
前記第２の外被が小物袋を更に含むことを特徴とする請求項１に記載のベビーキャリア。
【請求項３２】
人に連結するための装着帯と、
前記装着帯に連結されて乳幼児を保持する軟質シートと、
乳幼児と人との間に装着される軟質シートに連結されたベビー毛布と、
前記本体毛布に連結されるカバー毛布と、
を含み、
前記カバー毛布と前記本体毛布とが外囲体を形成することを特徴とするベビーキャリア。
【請求項３３】
前記カバー毛布が、乳幼児の頭部を被うフードを含むことを特徴とする請求項３２に記載のベビーキャリア。
【請求項３４】
前記フードが補強されることを特徴とする請求項３３に記載のベビーキャリア。
【発明の詳細な説明】
【技術分野】
【０００１】
（関連出願の相互参照）
本出願は、名称が「Ｃｏｖｅｒｉｎｇ  Ｂａｇ  ｆｏｒ  Ｂａｂｙ  Ｃａｒｒｉｅｒｓ（ベビーキャリア用カバーバッグ）」の２００３年８月２５日に出願された暫定特許出願シリアル番号６０／４９７，７２３に対する優先権を主張する。該暫定特許出願の教示並びに実施形態は、引用により本明細書に組み込まれる。
本発明は、一般にベビーキャリアの分野に関する。より具体的には、本発明は、外囲システムを備えた人体の胸部側に着用されるベビーキャリアに関する。このベビーキャリアは、４つの分離可能な部品、すなわち本体毛布、カバー毛布、装着帯、及び軟質シートからなる。カバー毛布は、本体毛布に取り付けられて外囲体を形成する。装着帯は、ウェストベルト及びショルダストラップからなり、大人によって着用される。軟質シートは、乳幼児を保持し、装着帯に直接又は本体毛布に取り付けられる。
【背景技術】
【０００２】
本体毛布は、乳幼児がもたれるのに心地よい表面を形成し、大人が身に付ける場合のあるジッパー、ボタン、又はネックレスから乳幼児を保護する。また本体毛布は、乳幼児のよだれから大人の衣類を保護する。本体毛布は、二通りに機能することができる。すなわち、装着帯と軟質シートとの間の中央部材として機能することができ、装着帯が大人に向いた本体毛布の面に連結され、軟質シートが乳幼児に向いた本体毛布の面に連結されるか、或いは本体毛布は、装着帯を軟質シートに直に取り付けることのできる開口を有することができる。
【０００３】
カバー毛布は、本体毛布に取り付けてバッグ状の外囲体を形成することができ、各要因から乳幼児又はベビーを保護する。カバー毛布は、乳幼児の肩から両足の下まで延びるその外側縁部と、両側部を連結する底縁部とにおいて本体毛布に取り付けられる。カバー毛布は、軟質シート、ウェストベルト、装着帯のショルダストラップの取扱いを妨げることがないので安全に使用でき、言い換えると、乳幼児を軟質シートから出すことなく容易に着脱することができる。この新規なキャリアは、重ね着の必要性を軽減し、屋内と戸外との間の移動を容易にする。乳幼児の四肢は、外囲システムを備えたこのベビーキャリアにおいては露出されることはない。このベビーキャリアは、保護的ではあるが、乳幼児がその手足を動かすための十分な空間を残している。本ベビーキャリアは、過熱を調節するため底部から部分的に開いた縁部に沿って二方向ジッパーを備えることを特徴とし、更に、大人がカバー毛布を取り外すことなく乳幼児の世話をすることを可能にする。
【０００４】
一体的又は取り外し可能なフードは、乳幼児の敏感な頭部を天候から保護することができる。取り外し可能なフードは、乳幼児が大人の方向又は大人から離れる方向に向くことができるように二通りに取り付けることができる。
【０００５】
３本又は５本ベルトのシートベルト構成の使用を可能にするスロット又は孔を乳幼児の両脚の間に設けることができる。このことは、外囲システムを備えたこのベビーキャリアの用途を広げて、ベビーカー及び自動車シート上での使用を可能にする。ベビーキャリアを身体に着用して使用する大人の多くは、ベビーカー及び自動車シートも同様に使用しているので、これらの開口を備えたこのベビーキャリアの拡張用途は有用である。
【０００６】
体の胸部側に着用される上記の特徴を備えた実用的なベビーキャリアは、当該技術分野では開示されていない。その一体的な外囲システムを備えた本発明のベビーキャリアは、安全で、各要因から乳幼児を保護する。
【０００７】
体の胸部側に着用される既存のベビーキャリアは、ウェストベルトとショルダストラップとを備えた大人の装着帯が乳幼児の軟質シートに直接取り付けられるように構成されている。この構造により、装着帯が常に十分な外囲を妨げ、冷気及び湿気が入り込む恐れのある大きな間隙を許容するので、既存のおくるみ又はカバーをこのようなキャリアに取り付けることが困難になる。また、乳幼児をこする恐れのあるボタン、ジッパー、又は宝飾品を含む可能性のある大人の衣類に乳幼児の頭部及び両腕が載ることになる。
【０００８】
本発明は、４つの分離可能な基本的な部品、すなわち、（ａ）大人の体と乳幼児との間で広がる本体毛布、（ｂ）装着帯又は軟質シートを邪魔しない取り外し可能なカバー毛布、（ｃ）乳幼児に向いた本体毛布の面に取り付けられるウェストベルトとショルダストラップとからなる装着帯、及び（ｄ）本体毛布に取り付けられる軟質シートからなる。
【０００９】
本体毛布は、該毛布と乳幼児の軟質シートとを連結し、且つカバー毛布の取付けを可能にする中央部分を形成する。中央の本体毛布を備えたこの構造は、幾つかの利点を有する。第１に、これ自体が取り外し可能なカバー毛布を備えたこの新規なベビーキャリアは、外部の非効率的なおくるみを取り付ける必要性が無くなる。この構造は、外囲体内に装着帯のための間隙を残しておく必要性を排除することができ、或いは開口を最小限のサイズに保持する。これにより、乳幼児を包み、冷気及び湿気から完全に保護することを可能にする。これはまた、乳幼児が寄りかかるための心地良い表面を形成し、大人が身に付けている場合があるジッパー、ボタン、又はネックレスから乳幼児を保護する。これはまた、必要であれば、乳幼児のよだれから大人の衣類を守る。
【００１０】
また、このカバー毛布は、キャリアの軟質シート、ウェストベルト、及びショルダストラップの取扱いを妨げないので、このベビーキャリアでの使用が安全になる。従って、該カバー毛布は、乳幼児を軟質シートから取り出すことなく容易に着脱することができる。
【００１１】
大人の身体装着帯と乳幼児の軟質シートとの間の構造的連結部を形成する本体毛布で設計された既存のベビーキャリアは存在しない。
【００１２】
カバー毛布が本体毛布に取り付けられたときに、第１に乳幼児を完全に包み込み、第２に乳幼児を軟質シート内で大人に取り付けたままこのカバー毛布を着脱できる機能は、当該技術分野においては存在していない。
【００１３】
乳幼児カバー及びおくるみは、一般に、各要因から乳幼児を保護することにより乳幼児の健康及び快適さに配慮して設計される。人体の胸部側に着用される既存のベビーキャリアは、ウェストベルトと少なくとも１つのショルダストラップとにより大人の身体に取り付けられる。既存のベビーカバー毛布又はおくるみは、装着帯及び軟質シートのストラップの全てを回避できないので有用ではない。従って乳幼児を温かく維持するためには、乳幼児に重ね着をさせなくてはならず、このことは乳幼児をキャリア内に入れるのが困難になり、屋内と戸外との間での移動に際して、乳幼児に衣類を着脱させる時間を浪費させる。
【００１４】
幾つかのベビーカバーは、ショルダストラップ又は軟質シートに取り付けることによりベビーキャリアの外側に取り付けられるように設計される。このような既存のおくるみの欠点は、装着帯が乳幼児を極めて部分的にしか囲まないので、これらのおくるみが依然として乳幼児を冷気に曝すことである。これは、既存のおくるみがカバー毛布のみからなり、カバー毛布を受け入れることを考案した本体毛布を提供する、本発明に記載されたような外囲システムからなるものではないためである。
【００１５】
カバー毛布が本体毛布に取り付けられたときに連続的なバッグ状外囲体を形成するように考えられた、身体の胸部側に着用されるベビーキャリアは存在しない。
【００１６】
Ｋｎｉｇｈｔに付与された米国特許第６，０５５，６８６号は、自動車シート又はベビーカーシートのような剛性シート内で子供を保護するようにだけ設計され、大人の胸部側に着用されるベビーキャリアには好適ではないおくるみを示している。このおくるみは、肩装着帯によって所定位置に保持することのできるスリーピングバッグにより近い。これは、装着帯を備えた軟質シート内の乳幼児が、これによってどのように囲まれ得るかといった点については全く記述していない。
【００１７】
Ｓｙｍｍｓ他に付与された米国特許第６，２７２、６８３Ｂ１号は、Ｋｎｉｇｈｔによる上記のおくるみと同じ欠点を示す。
【００１８】
Ｌｅｓｅｓｎｅに付与された米国特許第４，２４１，４５８号は、シートに取り付けられる別のおくるみを示しており、上記と同じ欠点を有する。
【００１９】
Ｓｃｈｎｅｉｄｅｒに付与された米国特許第５，６１１，０９５号は、乳幼児の両脚の周りを包み、次いで、身体に着用されるベビーキャリアの内部に装着されるが、これを包み込まないおくるみを示している。Ｓｃｈｎｅｉｄｅｒのおくるみは、余分な重ね着として役立つが、身体に着用されるベビーキャリアの軟質シート全体を包み込む外囲システムとしては役立たない。
【００２０】
【特許文献１】米国特許第６，０５５，６８６号公報
【特許文献２】米国特許第６，２７２、６８３Ｂ１号公報
【特許文献３】米国特許第４，２４１，４５８号公報
【特許文献４】米国特許第５，６１１，０９５号公報
【発明の開示】
【発明が解決しようとする課題】
【００２１】
既知のおくるみの上述の欠点に鑑みて、本発明の新規の特徴は、乳幼児を完全に囲むことにより各要因から乳幼児又はベビーを保護するが、大人がカバー毛布を容易に着脱できる必要性を満足する。本発明はまた、屋内及び戸外の空間間での移動を容易にする。外囲体の非制限的な性質により、乳幼児は、その両足を広げることもできる。外囲体を備えていないキャリア内にいる時と同じように、フードは、本体毛布もしくはカバー毛布に取り付けることができるので、乳幼児を大人の方向に向けることも、或いは大人とは離れる方向に向けることもできる。
【００２２】
本発明の目的は、一体的な外囲システムを備えた身体の胸部側に着用される新規なベビーキャリア又は子供支持用装着帯を提供することである。この外囲システムは、本体毛布、カバー毛布、装着帯、及び軟質シートからなる。
【００２３】
本体毛布は、乳幼児がもたれかかるのに心地良い表面を形成する外被であって、大人が着用する場合があるジッパー、ボタン、又はネックレスから乳幼児を保護すると共に、これにより必要であれば、乳幼児のよだれから大人の衣類を保護する。本体毛布は、大人の装着帯を乳幼児の軟質シートに結合し、更にカバー毛布を受け入れる中央部分を形成する。
【００２４】
本発明の別の目的は、取り外し可能なカバー毛布を有する一体的な本体毛布である第１の外被と、本体毛布に取り付けられると連続的なバッグ状の外囲体を形成する第２の外被とを備えた新規なベビーキャリアを提供することである。このカバー毛布は、大人の装着帯及び乳幼児の軟質シートと干渉しないので、大人の装着帯又は乳幼児の軟質シート用にどのような間隙も残す必要がない。これにより、乳幼児を完全に包み込み、寒冷及び湿潤な天候から完全に保護することが可能になる。乳幼児の身体並びにベビーキャリア内でほとんどは露出されている手足が温かく保たれる。これと同時に、本体毛布及びカバー毛布により形成されるこの外囲体は十分に大きいので、乳幼児の両脚及び両腕の移動が制限されることはない。
【００２５】
本発明の別の目的は、乳幼児をキャリア内に入れたままでカバー毛布で包み込み且つ開放することができる新規なベビーキャリアを提供することである。
【００２６】
本発明の別の目的は、カバー毛布がキャリアの軟質シート、ウェストベルト、及びショルダストラップのいずれの取扱いをも妨げないことによって、このベビーキャリアを安全に使用できるようにすることである。このカバー毛布は、乳幼児を軟質シートから出すことなく容易に着脱することができる。
【００２７】
本発明の別の目的は、内部と外部の温度交換を調節するために、部分的に開くことのできる二方向ジッパーを縁部に沿って取り付けることにより温度調節を可能にすることである。この二方向ジッパーはまた、カバー毛布を取り付けたままで大人が乳幼児の世話をすることをも可能にする。
【００２８】
本発明の別の目的は、乳幼児がその保護外囲体内にあるときに乳幼児が着用者の方向に向くか、又は着用者と離れる方向に向く２つの姿勢を可能にすることである。第１の姿勢において、カバー毛布は、軟質シートと密着しており、他方第２の姿勢においては、軟質シートの頂縁部を越えて延びることもできる乳幼児の両腕用に軟質シートとカバー毛布との間に空間を残す必要がある。これらの姿勢は、カバー毛布と軟質シートとの間に余分な取付け場所を必要とする可能性がある。
【００２９】
本発明の別の目的は、フードによって各要因から乳幼児の頭部を保護することである。このフードは、乳幼児が着用者とは離れる方向に向くことができるように本体毛布の頂縁部に対して恒久的又は取り外し可能に取り付けることができ、或いは乳幼児が着用者の方向に向くことができるようにカバー毛布の頂縁部に取り付けることができる。
【００３０】
本発明の目的はまた、乳幼児の顔に倒れ込み乳幼児の呼吸を妨げることのない安全なフードを提供することである。
【００３１】
本発明の別の目的は、上述の特徴の全てを備えたベビーキャリアをベビーカー又は自動車シート上でも使用できるようにすることである。バッグ状の外囲体を単なる袋として使用できるようにするために装着帯及び軟質シートを本体毛布に取り付ける必要はない。本発明のこの実施形態の場合、袋は、底縁部の中央から軟質シートが取り付けられる地点まで延びるスロットを有することになる。スロットの代わりに、袋は、対応する２つの孔、すなわち本体毛布内の１つの孔及びカバー毛布内の他の孔を有することができる。これらの孔の位置は、軟質シート取付け部の直ぐ下であろう。スロット又は孔は、ベビーカー又は自動車シート上で使用される３ベルト又は５ベルト型シートベルト装置から乳幼児の両脚間に帯を挿入することを可能にする。
【００３２】
この新規なベビーキャリアは、従来の製造方法で作られ、且つ乳幼児を包むのに好適な容易に入手可能な材料で製造される。これらの材料は、目的とする用途に応じて選ばれる。例えば、寒冷な天候におけるカバー毛布は、羊毛裏地付きのナイロン又はゴアテックスとすることができる。雨天日には、単にナイロンで作られたカバー毛布が好ましいとすることができる。また秋季における外出用には、羊毛のみで作られたカバー毛布が好適とすることができる。これは網羅的なリストではなく、他の材料も本発明に好適であることは当業者には明らかであろう。
【００３３】
以上の検討事項に鑑みて、好都合に取り外し可能であって屋内と戸外との間での移動を容易にする一体的な外囲システムを備えた、着用者の胸部側に着用されるベビーキャリアに対する必要性がある。
【課題を解決するための手段】
【００３４】
１つの実施形態において、本発明は、人に連結するための装着帯と、乳幼児を保持するための軟質シートと、乳幼児と人との間に装着される第１の外被と、人から離れる方向に向いた面上の軟質シートの周りで第１の外被と連結する第２の外被とを含み、第１及び第２の外被が、軟質シートと共に乳幼児を囲む外囲体を形成するベビーキャリアを含む。
【００３５】
別の実施形態においては、装着帯は、ベビーキャリアを人の胸部に取り付けるように構成される。
【００３６】
別の実施形態においては、ベビーキャリアは、着用者に向いた第１の外被の面上で装着帯を取り外し可能に受け入れる取付け機構を更に含む。
【００３７】
別の実施形態においては、ベビーキャリアは、乳幼児に向いた第１の外被の面上で軟質シートを取り外し可能に受け入れる取付け機構を更に含む。
【００３８】
別の実施形態においては、ベビーキャリアは、乳幼児に向いた第１の外被の面上に恒久的に取り付けられた軟質シートを更に含む。
【００３９】
別の実施形態においては、外囲体は、乳幼児の肩からその両足の下方まで各側部に沿った２つの縁部と、２つの側部につながる乳幼児の両足の下に延びる底縁部とを有し、第１及び第２の外被はこれらの縁部で接触する。
【００４０】
別の実施形態においては、第１及び第２の外被は、両側部及び底縁部に沿って取り付けられる。これらの外被は、ジッパー、ボタン、又はマジックテープを使用して取り付けられる。
【００４１】
別の実施形態においては、第１及び第２の外被は、温度調節を可能にするように僅かに開くことができる。
【００４２】
別の実施形態においては、第１の外被上の取付け機構は、その縁部に沿って引き上げることができる。
【００４３】
別の実施形態においては、第１の外被は、人の衣類を保護するために乳幼児の顔の上方で延びる頂縁部を有する。
【００４４】
別の実施形態においては、第１の外被は、親の衣類上の鋭利な物又は表面が粗い物から乳幼児を保護するために、乳幼児の顔の上方で延びる頂縁部を有する。
【００４５】
別の実施形態においては、第２の外被の頂縁部は、軟質シートの頂縁部に取り付けられる。
【００４６】
別の実施形態においては、ベビーキャリアは更に、乳幼児の頭部を被い、且つ第１の外被に取り付けられるフードを含み、このフードは、人から離れる方向に向いている。フードは、人に向いた方向又は人と離れる方向に向くことができる。フードは、取り外し可能にすることもできる。フードは、形状を維持するために補強することもできる。
【００４７】
別の実施形態においては、第１及び第２の外被は、底縁部に沿って恒久的に取り付けられる。
【００４８】
別の実施形態においては、第２の外被は引き上げることができる。
【００４９】
別の実施形態においては、同一の取付け機構が、軟質シートを第１の外被の一方の面に連結するため、及び装着帯を第１の外被の他方の面に連結するために使用される。
【００５０】
別の実施形態においては、第１の外被は、装着帯の１つのファスナを軟質シートのボタンに直接連結することを可能にする１つの開口を有する。
【００５１】
別の実施形態においては、第１の外被は、装着帯の全てのファスナを軟質シートの全てのファスナに直接連結することを可能にする複数の開口を有する。これらの開口の内の１つ又はそれ以上は、装着帯の周りを密接に閉じる弾性縁部を有することができる。或いは開口は、装着帯の周りで開閉することができる機構を有することができる。１つの実施形態においては、この機構は、ストッパを備えた引き紐とすることができる。
【００５２】
別の実施形態においては、第２の外被は、人の胸部と装着帯との間を横断方向に通過して該第２の外被の２つの上方コーナーを連結するストラップを有する。
【００５３】
１つの実施形態においては、外囲体は、ベビーカー又は自動車シートに対する外囲体の取付けを可能にするために、底縁部の中央から軟質シートの直ぐ下まで延びるスロットを有する。
【００５４】
１つの実施形態においては、第１及び第２の外被は、シートベルトの貫通を可能にする複数の開口を有する。
【００５５】
１つの実施形態においては、第２の外被は小物袋を更に含む。
【００５６】
別の実施形態におけるベビーキャリアは、人に連結するための装着帯と、装着帯に連結されて乳幼児を保持する軟質シートと、乳幼児と人との間に装着される軟質シートに連結されたベビー毛布と、本体毛布に連結されるカバー毛布とを含み、カバー毛布と本体毛布とが外囲体を形成する。カバー毛布は、乳幼児の頭部を被うフードを含むことができる。このフードは補強することができる。
【発明を実施するための最良の形態】
【００５７】
ここで図面を参照すると、ベビーキャリアは、全体を参照符号１で示した本体毛布、カバー毛布２、軟質シート３、ショルダストラップ４とウェストベルト５とから構成される装着帯、及びフード６からなることが分かる。
【００５８】
大人の身体と乳幼児との間に広がる本体毛布１は、このキャリアの中心部材すなわち中央部分である。軟質シート３は、図１及び２で分かるように乳幼児に向いた本体毛布１の側面に取り付けられ、ウェストベルト５及びショルダストラップ４は、図７で分かるように大人に向いた本体毛布１に取り付けられる。図１に示すように、軟質シートは、地点７において本体毛布１に固定的に取り付けることができ、或いは図６に示すように取り外し可能に取り付けることができる。２つの差し込み口９に係止する２つの留め具８により軟質シート３が本体毛布１に取り付けられると、乳幼児は軟質シート３内で固定される。乳幼児を本体毛布１により安全に固定するのは、軟質シート３のネックレスト１１の両側にある２つのファスナ１０であり、本体毛布１上の２つの対応する差し込み口１２に取り付けられる。ファスナ１０は、ベビーシートに更に大きな拡張性を付与するためにストラップ上に装着してもよい。本体毛布１に対する軟質シート３の他のどのような取付け機構も、本発明の精神を変えることなく採用することができる。
【００５９】
カバー毛布２は、キャリアの軟質シート３及びウェストベルト５又はショルダストラップ４のいずれの操作も妨げないので安全に使用できる。図１から３に示すように、カバー毛布２は、軟質シート３から乳幼児を移動させることなく取り付け及び取り外しを行うことができる。本体毛布１及びカバー毛布２は、ジッパーによって、本実施形態では１対の二方向ジッパー１３によって連結される。これらの二方向ジッパー１３は、底縁部の中央１４で接し、本体毛布１及びカバー毛布２により形成されるバッグ状の外囲体を図４及び５に示すように第２のタブ１５で部分的に開くことが可能となる。二方向ジッパー１３により、ベビーキャリアは、外囲体の内側と外側の間の空気交換を可能とすることで、温度調節機能を備えることを特徴とする。二方向ジッパー１３はまた、図４及び５に示すようにカバー毛布２を取り付けたままで、大人又は保護者が乳幼児に必要な世話をするために取り扱うことが可能である。スナップなどの他の取付け方法も、本発明の精神を変えることなく二方向ジッパー１３と同様の機能を果たすことができる。
【００６０】
図１及び図２で分かるように、ネックレスト１１の外側上の２つの対応する差し込み口１６に取り付けられる２つのスナップ１５があり、これによりカバー毛布２が滑り落ちるのが防止される。図３及び４で分かるように、着用者に向いた姿勢では、カバー毛布は、軟質シートと密着している。図７に示すような着用者から離れる方向に向いた姿勢では、乳幼児の腕が軟質シート３の頂縁部を越えて延びるように、軟質シート３とカバー毛布２との間に空間を残す必要がある。これらの姿勢は、カバー毛布と軟質シートとの間に別の取付け場所を必要とする可能性がある。
【００６１】
この実施形態においては取り外し可能であるフード６は、図３及び図４に見られるようにカバー毛布２の外側の対応する３つの差し込み口２１に対して３つのスナップ２０で取り付けることができ、図４に示すように、乳幼児は大人に向きながらフード６を着用することができる。この同じフードはまた、図７で分かるように本体毛布１の内側の３つの差し込み口２２に取り付けることもでき、図５に示すように、乳幼児がフード６を着用し且つ顔を外に向けることもできる。図７の平面図は、取り外し可能なフード６の形成をより詳細に示している。この裁断パターンは、２つの半部分２４及び２５からなり、これらは、縁部２６で縫合されたときには図４に示すような縫目２７となる。保温及び防湿のために、フード６は、カバー毛布２の上縁部２２に重なる。
【００６２】
図５はまた、カバー毛布２の内側に縫い込まれた保管袋３０を示している。ベビーキャリアが裏地を有する場合には、この袋３０は、カバー毛布２の外側織地と裏地との間にあるので、多少なりとも乳幼児の邪魔にはならない。この保管袋は、これを閉鎖することを可能にするジッパー３１を有することができる。この袋の中にはおむつ、おしゃぶり、その他を保管することができ、大人がハンドバッグを持ち運ぶ必要性を排除して両手を開放することができる。
【００６３】
図６はまた、本体毛布１に対する軟質シート３の取り外し可能な取付け方法をも示しており、この場合は留め具である。この留め具は、軟質シート３の底部に縫い込まれた差し込み口３６と、ほぼ腰の高さに本体毛布１上に縫い込まれた２つの挿入体３５とからなる。本発明の精神を変えることなく他のいずれかの取り外し可能な機構を使用してもよい。
【００６４】
図７は、図８に示すような装着帯４４の取付けを可能にする留め具を備えた、大人に向いた本体毛布１の面を示している。この実施形態においては、ショルダストラップ４は、本体毛布１の頂部に配置された受入れ部品４１に留め具の端部４０を挿入することにより取り付けられる。ウェストベルト５は、同じ方法で取り付けられ、この場合、部品４２が、本体毛布１の腰の高さに配置された留め具の受入れ部品４３内に挿入される。図８は、ショルダストラップ４及びウェストベルト５の端部にそれぞれ挿入体４０及び４２を備えた装着帯４４全体を示している。
【００６５】
図６から８を再度検証すると、本体毛布１が、装着帯４４と軟質シート３との間で中央部分としてどのように機能を果たすことができるかが明らかとなる。これはまた、カバー毛布２が、装着帯４４及びベビーシート３の取付けをどのようにも妨げないことを示している。
【００６６】
図９は、本体毛布１の縁部を巻き上げることにより、ジッパー１３の引き上げを可能にするマジックテープ４５を備えた本体毛布１を示している。図１０は、ジッパーを引き上げた状態の図９と同じ本体毛布を示しており、ジッパー１３のある状態の本体毛布１の外形を点線で示している。これは、季節が変わり、カバー毛布２をあまり使用しなくなった時に有用である。それでも尚、カバー毛布２は、特に薄いナイロンで作られただけの雨よけカバー毛布２が役に立つ夏の降雨の際に利用し易い。
【００６７】
図１１は、カバー毛布２がベビーキャリアの底縁部４９に沿って本体毛布１に恒久的に取り付けられたベビーキャリアを着用している人を示している。これは、寒冷な季節が長い或る気候において有利とすることができる。大人は、カバー毛布２の取り外し又は取り付けをする必要が全くないことにより、時間を節約することができる。図１２は、円筒形５０に巻き上げられたカバー毛布２を示しており、カバー毛布２を直ちに使用できるが引き上げられた状態にしている。
【００６８】
円筒物５０は、スナップ付きの帯、引き上げ袋、又は外被製造業界で良く知られた幾つかの方法のいずれかによって所定位置に保持することができる。
【００６９】
図１３は、乳幼児の両脚の間にスロット５１を備えたベビーキャリアを示している。スロット５１は、図１４に見ることができるように、軟質シート３の取付け部の直ぐ下の高さ５２にまで達する。本体毛布１とカバー毛布２とは、スロットの縁部５４及びベビーキャリアの底縁部５３に沿って縫い合わされる。軟質シート３及び装着帯４４が取り外された状態では、本体毛布１及びカバー毛布２によって形成される外囲体は、自動車シート及びベビーカーの５ベルトシステムと共に使用することもできる。
【００７０】
図１５は、図１１において述べたように恒久的に取り付けられた本体毛布１及びカバー毛布２と、自動車シートベルトの中央ベルトを通すための２つの孔６０とを備えたベビーキャリアを開いた状態で示す平面図である。図１６は、図１５と同じベビーキャリアを閉じた位置で示しており、フラップ６１で覆うことのできるカバー毛布上の孔６０を示している。フラップ６１は、カバー毛布２上のマジックテープ６２と密接に閉鎖することができ、該テープ６３はフラップの内側上のマジックテープ６３に取り付けられる。
【００７１】
図１３から図１６に示す本発明の実施形態は、ベビーキャリアの用途を拡張しており、本体毛布１及びカバー毛布２によって形成される外囲体はまた、自動車シート又はベビーカーにおけるカバーバッグとして使用することもできる。
【００７２】
図１７は、軟質シート３が本体毛布１に取り付けられる図１及び２において説明した同じ機構、すなわち挿入体３５、差し込み口９、及びボタン１２を備えることを特徴とする別の装着帯７０を示している。図１８は、図１７の装着帯７０が取り付けられる本体毛布１の背面を示している。これは、差し込み口３６、挿入体８、及び留め具１０を特徴として備え、これらは、図１及び図２で見ることのできる軟質シート３上のものと同じである。
【００７３】
軟質シート３と装着帯７０との間の取り付け方法が軟質シート３とカバー毛布２との間の取付け方法と同じであることには幾つかの利点がある。これにより、夏季には本体毛布１を取り外し、必要時に軟質シート３と装着帯との間に容易に取り付けることが可能となる。従ってこの実施形態においては、キャリアは、夏季においては外囲システムの無い従来のキャリアとして機能する。しかしながら、寒冷又は湿潤な天候において必要な時には、本発明の全ての特徴を有する。
【００７４】
図１９は、図１７と同じ装着帯７０を着用している人を示しており、この場合本体毛布１は、挿入体８及び留め具１０を通過させて、これらを装着帯７０上の差し込み口９及びボタン１２に直接取り付けることを可能にする２つのスロット７１を有する。図２０は、スロット７１及び差し込み口３６を備えることを特徴とする本体毛布１の背面を示している。
【００７５】
図２１は、本体毛布が２つのスロット７１と２つの追加スロット７２とを有する装着帯７０を着用している人を示しており、該スロット７２は、装着帯７０の挿入体３５を通過させて、これらを軟質シート３上の差し込み口３６に直接取付けることを可能にする。図２２は、２対のスロット７１及び７２を備えた本体毛布１の背面を示している。この本体毛布１は、図１７に見ることのできるショルダストラップ４上のスナップ７４の対応する部品にスナップ嵌合することのできるスナップ７３の２つの追加部品を備えることを特徴とする。部品７３及び７４からなるこれらのスナップは、乳幼児が軟質シート３内にいる間は本体毛布１が滑り落ちるのを防止するので、軟質シート３の挿入体８及び留め具１０をこれらのスロット７１を介して装着帯７０上の対応する部品９及び１２内に容易に係合させることになる。
【００７６】
本体毛布１上にスロット７１及び７２を設けて、軟質シート３の通過及び装着帯７０への直接取付けを可能にすることは、図１７及び１８について上述したのと同じ利点を有する。これにより、夏季に本体毛布１を取り外しておき、必要時に容易に取り付けることが可能になる。
【００７７】
図２３は、１つの大きな開口８０を有し、該開口に装着帯７０を通過させて軟質シート３に取り付ける本体毛布１を備えたベビーキャリアを着用している人を示している。開口の周りの縫目８１は、伸長性の織地で作られる。この実施形態の本体毛布は、２つのボタン孔８２により装着帯７０上のボタン１２に最初に取り付けられる。図２４に示すように、乳幼児が軟質シート３内に入っている時には、留め具１０は、間に挟んだボタン孔８２で上記のようにボタン１２の上を摺動する。これは、図１７及び２２に示すような余分なスナップ部品７３及び７４の使用を低減する。
【００７８】
図２５は、カバー毛布２が装着帯７０に取り付けられる取り外し可能な本体毛布１及びカバー毛布２の平面図を示しており、この場合、取り外し可能なフード６は取り付けられておらず、図２６に示すように取り付けられる。本発明のこの実施形態においては、取付け手順は異なるが、全ての部品は同一である。乳幼児が軟質シート３内に既にいる後で、カバー毛布がボタン孔９３またスナップなどの他の何らかの取付け方法によりボタン１２に取り付けられる。本体毛布１が乳幼児と大人の間で引かれ、フラップ９０を本体毛布１の反対側の上コーナー９２に引き寄せて、スナップ９１により取り付ける。フラップ９０が取り付けられると、図２３及び２４と同様の孔８０を装着帯７０の周りに形成する。本発明のこの実施形態においては、本体毛布１及びカバー毛布は双方とも、装着帯７０又は軟質シート３と干渉しない。これにより、本実施形態は二方向ジッパー１３及びその他による温度調節などの上述の特徴を全て安全且つ容易に利用できるようになる。
【００７９】
図２７から図３２は、装着帯７０の周りを可能な限り密接に閉鎖する目的で開口８０を形成する様々な方法を示している。これは、図２３から２６に提示した実施形態における唯一の目的である。
【００８０】
図２７及び２８は、本体毛布１の開口８０の周りの縫目に縫い込まれた弾性バンド１００を備えた本発明の１つの実施形態を示している。開口８０は、４つのスナップ１０１で留められた２つの重なり合う同一サイズのフラップ９０及び９２によって形成される。弾性バンド１００は、装着帯７０の周りを可能な限り密接に包むことにより開口８０を最小化して、その結果、最大限の防寒を達成するのに役立つ。図２７は、弛緩位置にある弾性バンド１００を示しており、図２８は、伸張位置において示している。両方の位置に到達することを可能にするために、織地を縁部１０４及び１０５に分割する２つの切れ目が形成される。次いで、２枚の織地の三角片１０２及び１０３が、図２８に見られるように縁部１０４及び１０５の間に縫い込まれる。開口８０が弛緩位置にあるときには、織地の三角片１０２及び１０３は、図２７に示すように折り畳まれることになる。
【００８１】
図２９から３２は、開口８０の周りの縫目１２１内に挿入された弾性紐１２０を備えた本発明の１つの実施形態を示している。２対のスナップ１２２及び１２３で留められた２枚のフラップ９０及び９２が、開口８０を形成する。弾性紐１２０を引っぱり、次いでその張力を２つのストッパ１２４で拘束することにより、開口８０のサイズを調節する。図２９は、留め合わされていないフラップ９０及び９２と、弛緩した弾性紐１２０とを示しており、２つのストッパ１２４が紐１２０の端部に位置決めされている。図３０は、紐１２０を締めた位置で固定したストッパ１２４によって緊縮された開口８０を示している。図３１及び図３２は、開口８０を可変にする１つの方法を示している。これを達成するために、開口８０の周りの縁部１２５は延伸する必要がある。このため織地の三角片１３０が、切れ目１２６から１２９まで縫い込まれる。これにより、開口８０を異なるサイズになり、縁部１２５を異なる長さに拘束することが可能になる。
【００８２】
図３３から図４０は、フード６を乳幼児の顔から離れた状態で維持し、従って乳幼児の呼吸を妨げない状態を維持することになる形状をフードに与える２つの異なる方法を示している。ここで考察する実施形態は、取り外し可能なフード６、或いはカバー毛布２もしくは本体毛布１に恒久的に取り付けられるフード６に対しても同様に有効である。
【００８３】
図３３は、図３４に示すような取り外し可能なフード３３の開口部のアーチ部１３２となる側部１３１を備えた取り外し可能なフード６の平面図を示している。アーチ１３２は、補強が無い場合には乳幼児の顔面上に倒れ込むことになる。このアーチ部１３２を補強する１つの方法は、例えば張り骨のような可撓性の材料片１３３をこのアーチ１３２に沿って延びる前方縫目１３４に挿入することである。取り外し可能なフード６がカバー毛布２又は本体毛布１に取り付けられると、２つのスナップ２０間の距離は、可撓性の材料片１３３の長さよりも小さいので、可撓性の材料片１３３は、上に曲がってアーチ部１３２を形成することになる。可撓性の材料片１３３に押し当てるものを与えるために、２つのストップ部１３５が更に必要とされる。この２つのストップ部は、縫目１３４の両側を縫うことができる。可撓性の材料片１３３は、その可撓性とアーチ１３２形状を保持する能力との均衡を良好に有する必要がある。可撓性の材料片１３３が過度に硬い場合には、フード６は取付けが難しくなり、その上、子供の頭部に近いフード６の内部に硬い部片があることは好ましいことではない。可撓性の材料片１３３が過度に柔らかい場合には、アーチ部１３２は上方にある状態を留めないので、取り外し可能なフード６は、乳幼児の顔の上に当たることになる。
【００８４】
図３５から図４０は、フード６の外側織地と裏地との間に重ねられる可撓性メッシュ１３６を示している。この可撓性メッシュ１３６によって、フード６は、乳幼児がそれを引っ張った場合でも、その元の形状にはね返るのに十分な記憶を有することになる。図１１においてフード６は、縁部２６に沿って縫い合わされて、図３６に示すような縫目２８を形成する。図３７から図４０は、縁部２６に沿って取り付けられたタブ１３８付きジッパー１３７により容易に前方に折り畳まれる可撓性メッシュ１３６を備えたフード６の変形形態を示している。折り畳み線１３９は、図３９及び４０に示すように折り畳まれたフード６がその上縁部から軟質シート３を排除するように位置付けられる。取り外し可能なフード６を折り畳み線１３９に沿って折り畳むことができるように、３つのスナップ２０の内の中央のスナップは、他の２つのスナップと同一線上にあるようにする。
【００８５】
図４１から４４は、図４４に示すようにベビーキャリア内で乳幼児の顔が外に向いているときに、乳幼児の顔を更に保護する様々な付属部品を備えた図３３から４０のフード６を示している。図４１は、開放位置にある保護フラップ１４０を示している。図４２に示すように、保護フラップ１４０は、フード６の一方の側部上に縫い込まれ、フラップ１４０上のマジックテープ片１４１によりフード6のマジックテープ片１４２に閉じられる。マジックテープ以外のどのような締着方法であっても本発明の範囲を変えることにはならない。図４３は、フード６の前縁部１３２に連続的なカバー１４３を縫い付けることにより乳幼児の顔を保護する別の方法を示している。このカバーは、開口１４４を有しており、この開口１４４は、該開口の周りの縫目１４６内に縫い込まれるストッパ１４７付きの引き紐１４５で調節可能である。図４４は、図５で説明されたような本体毛布１に取り付けられた、図４３で説明したようなフード６を示している。
【００８６】
全ては、綿、デニム、ナイロン又はＧｏｒｅ−ｔｅｘ、或いは何らかの天然織地もしくは合成織地のような曲げやすい織地で作られる。フードに形状を与える材料は、変えることができる。使用される材料は、乳幼児向けの製品に使用される外被及び材料に適用される様々な制限事項についての政府規制の範囲内であるべきである。
【００８７】
当業者には明らかなように、本発明のカバーバッグは、上述とは異なる幾つかの方法で変更することができ、それでも添付の請求項の範囲内に含まれる。
【図面の簡単な説明】
【００８８】
【図１】底縁部に沿った二方向ジッパーで取り付けられただけのカバー毛布と、本体毛布に恒久的に取り付けられた軟質シートとを備えたベビーキャリアを着用した人を示す図である。
【図２】軟質シート内に乳幼児を入れた状態の図１のベビーキャリアを示す図である。
【図３】カバー毛布は有するがフードは有しないベビーキャリアを乳幼児が着用者に向いた状態で着用している人を示す図である。
【図４】カバー毛布に取り付けられた取り外し可能なフードを備えたキャリア内に乳幼児が着用者に向いた状態にある人を示す図である。
【図５】取り外し可能なフードを有するカバー毛布を備えたベビーキャリアを、乳幼児の顔を着用者から離れる方向に向けた状態で着用している人を示す図である。
【図６】分離された本体毛布とカバー毛布並びに取り外し可能なフードを備えたベビーキャリアの平面図を示す図である。
【図７】装着帯が取り付けられる本体毛布の背面を示す図である。
【図８】装着帯の１つの実施形態を示す図である。
【図９】ジッパーを引き上げることを可能にするマジックテープを備えた本体毛布を示す図である。
【図１０】ジッパーを引き上げた状態における図９の本体毛布を示す図である。
【図１１】底縁部に沿って本体毛布に対して恒久的に取り付けられたカバー毛布を備えたベビーキャリアを着用している人を示す図である。
【図１２】カバー毛布を巻き上げた状態で図１１のベビーキャリアを示す図である。
【図１３】乳幼児の両脚の間にスロットを備えたベビーキャリアを着用している人を示す図である。
【図１４】図１３のベビーキャリアの斜視図である。
【図１５】恒久的に取り付けられた本体毛布及びカバー毛布と、自動車のシートベルトを通す２つの孔とを備えた開いたベビーキャリアの平面図を示す図である。
【図１６】図１５のベビーキャリアをその閉じた位置で示し、フラップを備えたカバー毛布の孔を示す図である。
【図１７】装着帯の別の実施形態を示す図である。
【図１８】図１７の装着帯が取り付けられる本体毛布の背面を示す図である。
【図１９】本体毛布が２つのスロットを有するベビーキャリアを着用している人を示す図である。
【図２０】図１９のベビーキャリアの本体毛布の背面を示す図である。
【図２１】本体毛布が４つのスロットを有し、且つ取り外し可能であるベビーキャリアを着用している人を示す図である。
【図２２】図２１に示すベビーキャリアの本体毛布の背面を示す図である。
【図２３】取り外し可能な本体毛布が、装着帯を貫通させて軟質シートに取り付けるための１つの大きな開口を有するベビーキャリアを着用している人を示す図である。
【図２４】乳幼児を軟質シート内に入れた状態の図２３のベビーキャリアを示す図である。
【図２５】取り外し可能なフードが取り付けられていない状態の、カバー毛布が装着帯に取り付けられる取り外し可能な本体毛布を示す図である。
【図２６】取り外し可能なフードを取り付けた状態の図２５の毛布を示す図である。
【図２７】引き縮められた位置における装着帯を貫通させるための拡張可能な開口を備えたベビーキャリアを示す図である。
【図２８】拡張された位置における図２７のベビーキャリアを示す図である。
【図２９】２つのストップ部が弛緩位置-にあり、装着帯を通すためその縫目内に弾性バンドを有する開口を備えたベビーキャリアを示す図である。
【図３０】緊縮された位置における図２９のベビーキャリアを示す図である。
【図３１】拡大された位置用の余分な織地を備えた図２９に示すのと同じベビーキャリアの詳細を示す図である。
【図３２】緊縮された位置における図２９のベビーキャリアの詳細を示す図である。
【図３３】フードが乳幼児の顔に落ちるのを防止するために、その縁部内に縫い込まれた剛性バンドを備えた取り外し可能なフードの平面図を示す図である。
【図３５】フードが乳幼児の顔に落ちるのを防止するために、縫い込まれた剛性メッシュを備えた取り外し可能なフードの平面図を示す図である。
【図３６】図３５のフードの斜視図である。
【図３７】縫い込まれた剛性メッシュと、フードを開くことを可能にするジッパーとを備えた取り外し可能なフードの平面図を示す図である。
【図３８】図３７と同じフードの閉じた状態の斜視図である。
【図３９】折り畳まれた状態における図３７と同じフードの平面図である。
【図４０】折り畳まれた状態における図３７と同じフードの斜視図である。
【図４１】乳幼児の顔を保護するためのバンドが開放位置にある取り外し可能なフードの斜視図を示す図である。
【図４２】バンドが閉じられ図４１のフードの斜視図である。
【図４３】拡張可能な開口を有する顔遮蔽部材を備えた取り外し可能なフードの斜視図である。
【図４４】乳幼児を大人から離れる方向に向けた状態でベビーキャリアに取り付けられた図４３と同じフードを示す図である。
【符号の説明】
【００８９】
１  本体毛布
２  カバー毛布
３  軟質シート
４  ショルダストラップ
５  ウェストベルト
６  フード
８  留め具
９  差し込み口
１０  ファスナ
１１  ネックレスト
１２  差し込み口
１３  二方向ジッパー
１４  底縁部の中央
１５  第２のタブ
【図１】
2007503879.tif 000003
【図２】
2007503879.tif 000004
【図３】
2007503879.tif 000005
【図４】
2007503879.tif 000006
【図５】
2007503879.tif 000007
【図６】
2007503879.tif 000008
【図７】
2007503879.tif 000009
【図８】
2007503879.tif 000010
【図９】
2007503879.tif 000011
【図１０】
2007503879.tif 000012
【図１１】
2007503879.tif 000013
【図１２】
2007503879.tif 000014
【図１３】
2007503879.tif 000015
【図１４】
2007503879.tif 000016
【図１５】
2007503879.tif 000017
【図１６】
2007503879.tif 000018
【図１７】
2007503879.tif 000019
【図１８】
2007503879.tif 000020
【図１９】
2007503879.tif 000021
【図２０】
2007503879.tif 000022
【図２１】
2007503879.tif 000023
【図２２】
2007503879.tif 000024
【図２３】
2007503879.tif 000025
【図２４】
2007503879.tif 000026
【図２５】
2007503879.tif 000027
【図２６】
2007503879.tif 000028
【図２７】
2007503879.tif 000029
【図２８】
2007503879.tif 000030
【図２９】
2007503879.tif 000031
【図３０】
2007503879.tif 000032
【図３１】
2007503879.tif 000033
【図３２】
2007503879.tif 000034
【図３３】
2007503879.tif 000035
【図３４】
2007503879.tif 000036
【図３５】
2007503879.tif 000037
【図３６】
2007503879.tif 000038
【図３７】
2007503879.tif 000039
【図３８】
2007503879.tif 000040
【図３９】
2007503879.tif 000041
【図４０】
2007503879.tif 000042
【図４１】
2007503879.tif 000043
【図４２】
2007503879.tif 000044
【図４３】
2007503879.tif 000045
【図４４】
2007503879.tif 000046
【国際調査報告】
2007503879.tif 000047